【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
ビデオゲームコントローラに使用するための取り外し可能なジョイスティックアセンブリであって、
基軸と、上部軸アセンブリと、を備え、
前記基軸は、前記基軸の近位端部に円周凹部を備え、
前記上部軸アセンブリは、前記基軸に取り外し可能に結合可能であり、
前記上部軸アセンブリは、上部軸と、カラーとを備え、
前記上部軸は、中心孔と、ジョイスティックボールに取り外し可能に結合するように構成されたネジ付き近位端部と、前記上部軸の遠位端部と前記近位端部との間の位置で、クリップを取り外し可能に受け入れるように構成された円周スロットと、前記上部軸の遠位壁部に規定され、金属ボールを移動可能に保持するように構成された複数の開口部と、を備え、
前記カラーは、前記カラーにおける内側肩部と前記上部軸の前記クリップとの間に配置されたスプリングにより前記上部軸に移動可能に結合され、
前記カラーは、近位内側面と、中位内側面と、遠位内側面と、フランジと、を備え、
前記近位内側面は、第１の直径を有し、前記上部軸と前記バネを受け入れる前記スリー
ブとの間の環状の隙間を規定し、前記第１の直径は、前記上部軸の外表面の直径よりも大きく、
前記中位内側面は、前記第１の直径とは異なる第２の直径を有し、前記複数の開口部の前記位置で前記上部軸の外表面に接触し、前記上部軸の前記遠位壁部に対して半径方向内方に前記開口部における前記ボールを付勢するように構成され、
前記遠位内側面は、前記第２の直径より大きい第３の直径を有し、前記複数の開口部の前記位置で前記上部軸の外表面から離れ、前記上部軸の前記遠位壁部に対して前記開口部における前記ボールを半径方向外方に移動させることができるように構成され、
前記フランジは、前記カラーの遠位部から半径方向外方に延在し、
前記バネは、前記中位内側面が前記開口部における前記ボールを半径方向内方に前記基軸の前記円周凹部に付勢する遠位位置に向けて前記カラーを付勢し、前記上部軸アセンブリと前記基軸とを結合し、前記カラーが近位に引っ張られると、前記遠位内側面は、前記複数の開口部から離れ、前記ボールは、前記円周凹部から半径方向へ移動し、前記上部軸アセンブリが前記基軸から分離されると、前記カラーの前記フランジは、カラーに配置されたダストカバーに係合し、前記ダストカバーを保持するように構成されていることを特徴とするジョイスティックアセンブリ。
【請求項２】
前記基軸の遠位部は、クリップを受け入れるように構成されたスロットを有することを特徴とする請求項１に記載のアセンブリ。
【請求項３】
前記基軸は、前記円周凹部に隣接する円錐面を備えることを特徴とする請求項１に記載のアセンブリ。
【請求項４】
前記基軸は、前記基軸を貫通する中心孔を有することを特徴とする請求項１に記載のアセンブリ。
【請求項５】
前記カラーは、前記カラーの外表面に、ユーザの指による前記カラーの把持を容易にするように構成された凹部を備えることを特徴とする請求項１に記載のアセンブリ。
【請求項６】
前記フランジは、前記カラーの遠位部から半径方向外方へ約１ｍｍの距離で延在することを特徴とする請求項１に記載のアセンブリ。
【請求項７】
ビデオゲームコントローラに使用するための取り外し可能なジョイスティックアセンブリのキットであって、
基軸と、上部軸アセンブリとを備え、
前記基軸は、前記基軸の近位端部に円周凹部を備え、
前記基軸アセンブリは、前記基軸に取り外し可能に結合可能であり、
前記上部軸アセンブリは、上部軸と、カラーとを備え、
前記上部軸は、ネジ付き近位端部と、クリップを有し、前記上部軸の遠位端部と前記ネジ付き近位端部との間の位置での円周スロットと、前記上部軸の遠位壁部に規定された複数の開口部と、前記複数の開口部に移動可能に保持された複数の金属ボールと、を備え、
前記カラーは、前記上部軸に移動可能に結合され、前記カラーにおける内側肩部と前記上部軸の前記クリップとの間にバネが配置され、遠位位置と近位位置との間の前記上部軸に対する前記カラーのバネ移動を可能にし、前記カラーは、前記カラーの遠位部から半径方向外方に延在するフランジを有し、
前記バネは、前記カラーを遠位位置に向けて付勢し、前記カラーは、前記開口部における前記ボールを半径方向内方に前記基軸の前記円周凹部に付勢し、前記上部軸と前記基軸とを相互に連結するように構成され、前記カラーが近位に引っ張られると、前記カラーの内側面は、前記複数の開口部から離れ、前記ボールは、前記円周凹部から半径方向に移動し、前記基軸から前記上部軸アセンブリを分離させ、前記上部軸アセンブリが前記基軸から分離されると、前記フランジは、カラーに配置されたダストカバーに係合し、前記ダストカバーを保持するように構成されていることを特徴とするキット。
【請求項８】
前記上部軸の前記ネジ付き近位端部に取り外し可能に結合可能なジョイスティックボールを更に備えることを特徴とする請求項７に記載のキット。
【請求項９】
前記基軸の遠位部におけるスロットに係合し、前記ビデオゲームコントローラへの前記基軸の結合を容易にするように構成されたクリップを更に備えることを特徴とする請求項７に記載のキット。
【請求項１０】
前記基軸は、前記円周凹部に隣接する円錐面を備えることを特徴とする請求項７に記載のキット。
【請求項１１】
前記基軸は、前記基軸を貫通する中心孔を有することを特徴とする請求項７に記載のキット。
【請求項１２】
前記カラーは、前記カラーの外表面に、ユーザの指による前記カラーの把持を容易にするように構成された凹部を備えることを特徴とする請求項７に記載のキット。
【請求項１３】
前記フランジは、前記カラーの遠位部から半径方向外方に約１ｍｍの距離で延在することを特徴とする請求項７に記載のキット。
【請求項１４】
組み合わせにおいて、ビデオゲームコントローラは、前記コントローラの操作中、ユーザの手首を置くことができるハウジングと、取り外し可能なジョイスティックアセンブリとを備え、
前記ジョイスティックアセンブリは、基軸と、上部軸アセンブリとを備え、
前記基軸は、前記ハウジングにおけるジョイスティックユニットに結合した遠位端部と、前記基軸の近位端部とに円周凹部を有し、
前記上部軸アセンブリは、前記基軸に取り外し可能に結合し、
前記上部軸アセンブリは、上部軸と、カラーとを備え、
前記上部軸は、ジョイスティックボールに取り外し可能に結合可能なネジ付き近位端部と、クリップを有し、前記基軸の遠位端部と前記ネジ付き近位端部と間の位置での円周スロットと、前記基軸の遠位壁部に規定された複数の開口部と、前記複数の開口部に移動可能に保持された複数の金属ボールとを備え、
前記カラーは、前記上部軸に移動可能に結合され、前記カラーにおける内側肩部と前記上部軸の前記クリップとの間にバネが配置され、遠位位置と近位位置との間の前記上部軸に対して前記カラーのバネ移動を可能にし、前記カラーは、前記カラーの遠位部から半径方向外方に延在するフランジを有し、
前記バネは、前記カラーを遠位位置に向けて付勢し、前記カラーは、前記開口部における前記ボールを半径方向内方に前記基軸の前記円周凹部に付勢し、前記上部軸と前記基軸とを相互に連結するように構成され、前記カラーが近位に引っ張られると、前記カラーの内側面は、前記複数の開口部から離れ、前記ボールは、前記円周凹部から半径方向に移動し、前記上部軸アセンブリを前記基軸から分離させ、前記上部軸アセンブリが前記基軸、前記ハウジングの上面又は上面の下方に配置された前記基軸の遠位端部から分離されると、前記フランジは、カラーに配置されたダストカバーに係合し、前記ダストカバーを保持するように構成されていることを特徴とする組み合わせ。